(57)【要約】【課題】パネルを支持する長尺の枠体の構造を、当該枠体が用いられる引戸などの建具の製造コストや重量を低減するのに資する構造のものとする。【解決手段】本引戸１は、ウエブ９とこのウエブ９の両端部から突出されるフランジ１０とで上枠体２及び下枠体３を構成し、上枠体２及び下枠体３のウエブ９に上部走行体４及び下部走行体５を取り付け（例えば、上枠体２の場合には、上枠体２のウエブ９に設けられた嵌合溝９ａに上部走行体４のブラケット１６に設けられた嵌合突起１６ｃ１，１６ｃ２を係合させ、ウエブ９の嵌合溝９ｂにブラケット１６の下端を係合させて取り付ける）、上枠体２及び下枠体３のフランジ１０の凹部１０ａにガラス板６を係止させる構造をなし、上部走行体４が上躯体Ａの案内レールａに沿って摺動（走行）可能に配設される一方、下部走行体５が下躯体Ｂの案内レールｂに沿って転動（走行）可能に配設される。【選択図】図１
2006249843.tif 000002
【特許請求の範囲】
【請求項１】
躯体に設けられた案内レールに沿って走行する走行体を、パネルが支持される長尺の枠体に取り付けてなる建具であって、前記枠体は、当該枠体の長手方向及びこれに垂直な方向に延びる板状部材で形成されるウエブと、このウエブの少なくとも一方の端部から当該ウエブに突出されるフランジとを有し、前記走行体は、前記ウエブに着脱容易に取り付けられる一方、前記パネルは、当該パネルの端部が前記フランジに形成された凹部に係止される態様で支持されることを特徴とする建具。
【請求項２】
前記走行体の前記枠体への取り付けは、前記枠体のウエブに当該ウエブの長手方向に沿って設けられた嵌合溝に前記走行体の嵌合突起を係合させることにより、又は前記枠体のウエブに当該ウエブの長手方向に沿って設けられた嵌合突起に対し前記走行体の嵌合溝を係合させることによりなされることを特徴とする請求項１に記載の建具。
【請求項３】
前記パネルを支持するフランジは、前記ウエブの、前記走行体が取り付けられる側とは反対側に、且つ、前記ウエブの、前記躯体側に位置する方の端部に突設されることを特徴とする請求項１又は２に記載の建具。
【発明の詳細な説明】
【技術分野】
【０００１】
本発明は、躯体に設けられた案内部材に沿って走行する走行体が、ガラス板などのパネルを支持する枠体に取り付けられている引戸などの建具に関するものである。
【背景技術】
【０００２】
従来から、建具のうちの吊り戸に関するものであるが、鴨居（躯体）に設けられたレール（案内レール）に沿って走行する戸車（走行体）を、当該吊り戸の上框（枠体）に取り付けたものがある（特許文献１）。
かかる吊り戸においては、図９に示すように、吊り戸の上框１００は、一対の板部材１００ａが対向配置され、この両板部材１００ａ間に架け渡す態様で断面視略深皿状に折曲された部材１００ｂが設けられ、また、この部材１００ｂの上方で両板部材１００ａの上端部に断面視略Ｔ形状の部材１００ｃがそれぞれ突設される形態をなしており、このような上框１００においては、当該上框１００の部材１００ｂ，１００ｃ間に形成される挿通溝１０１にプレート１０２が挿通され、部材１００ｂ上の適宜な位置で止めビス１０３により固定される。そして、フレーム１０５の車１０６が鴨居２００のレール２０１に沿って走行可能なようにして当該鴨居２００に取り付けられる一方、上述の固定されたプレート１０２には吊り車軸１０４が突設されており、この車軸１０４をフレーム１０５の幅広部１０７の係合溝１０７ａに装着させるとともに、この車軸１０４にライナー１０８の係止溝１０８ａを係合させ、これら幅広部１０７とライナー１０８を当該車軸１０４のストッパー１０９と固定子１１０間で挟持する態様で固定することにより、フレーム１０５と上框１００とがプレート１０２を介して連結されるようになっている。
尚、この吊り戸のパネル１１１は、図９においては当該パネル１１１の上端部が対向配置された板部材１００ａの最下端で両板部材１００ａ間に挟持される態様で支持される。
【０００３】
しかしながら、上述した吊り戸に用いられている上框１００は、対向配置された板部材１００ａの枠体間に部材１００ｂ等が架け渡されてなる断面視略矩形状の長尺で中空の型材であり、このような上框１００は、例えば収納用家具などの引戸に用いると、製品コストが上がり、また、重量も重くなる問題が生ずる。即ち、上述の上框１００を収納用家具などの引戸に用いる場合には、引戸の裏側に位置するところの板部材１００ａは必ずしも必要がなく、反って無い方が製品コストも安価になり、また、引戸の重量も軽減できるので好ましい。間仕切用家具などの引戸においても、設置場所等によっては引戸の裏側に位置するところの板部材１００ａは必ずしも必要がない場合があり、このような場合には、収納用家具などの引戸の場合と同様に製品コストを安価にでき、また、引戸の重量を軽減できる。
【特許文献１】特許第２８８１７２０号公報（第２〜３頁、第１図）
【発明の開示】
【発明が解決しようとする課題】
【０００４】
解決しようとする問題点は、パネルを支持する長尺な枠体の構造を、当該枠体が用いられる引戸などの建具の製造コストや重量を低減するのに資する構造のものとする点である。
【課題を解決するための手段】
【０００５】
本発明の請求項１に係る建具は、躯体に設けられた案内レールに沿って走行する走行体を、パネルが支持される長尺の枠体に取り付けてなる建具であり、前記枠体は、当該枠体の長手方向及びこれに垂直な方向に延びる板状部材で形成されるウエブと、このウエブの少なくとも一方の端部から当該ウエブに突出されるフランジとを有し、前記走行体は、前記ウエブに着脱容易に取り付けられる一方、前記パネルは、当該パネルの端部が前記フランジに形成された凹部に係止される態様で支持されるようにしたもので、枠体をウエブとフランジで構成することにより、従来の断面視略矩形状の中空型材に比べ製造コストや重量を低減することができる。
ところで、枠体のフランジが突出されるウエブの端部には両端部があるが、このうちの一方の端部のみから突出される場合の端部（一方端部）は、引戸などの建具が建て付けられたときの躯体側に位置する端部の場合もあり、また、この一方端部とは反対側に位置する端部の場合もあり、また、これらの場合のフランジの突出方向は、走行体の取り付け側と同一の場合もあり、また、走行体の取り付け側とは反対の場合もあり、走行体のウエブへの取り付け態様や建具の仕様などによって決められる。更に、両端部にフランジが突出される仕様の建具（例えば、後述する実施の形態に係る引戸のような例）もあるが、このときのパネルを支持するフランジは、これらのフランジのいずれか一方であることは言うまでもなく、また、このときのフランジの突出方向は、上述と同様に、走行体のウエブへの取り付け態様や建具の仕様などによって決められる。
【０００６】
本発明の請求項２に係る建具は、前記走行体の前記枠体への取り付けを、前記枠体のウエブに当該ウエブの長手方向に沿って設けられた嵌合溝に前記走行体の嵌合突起を係合させることにより、又は前記枠体のウエブに当該ウエブの長手方向に沿って設けられた嵌合突起に対し前記走行体の嵌合溝を係合させることによりなされるようにしたもので、走行体が枠体に着脱容易に取り付け可能になる。
【０００７】
本発明の請求項３に係る建具は、前記パネルを支持するフランジは、前記ウエブの、前記走行体が取り付けられる側とは反対側に、且つ、前記ウエブの、前記躯体側に位置する方の端部に突設されるようにしたもので、ウエブとフランジで構成される枠体のより具体的形態であり、これにより、パネルが透明又は半透明であっても枠体によって走行体が隠れるためユーザー側から走行体を外観できなくなり、見栄えの悪化を防止できる構造となる。
【発明の効果】
【０００８】
本発明の建具は、枠体をウエブとフランジで構成しているため、従来の断面視略矩形状の中空な型材に比べ製造コストや重量を低減することができる利点がある。
【発明を実施するための最良の形態】
【０００９】
本発明の第１の実施の形態に係る建具を図１〜５を参照して説明する。
本実施の形態に係る建具は、図１に示すように、家具などの開口口に左側引戸及び右側引戸として対をなして設けられる一般的な引戸１であるが、本引戸１は、後に詳述するように、ウエブ９とこのウエブ９の両端部から突出されるフランジ１０，１１とを有する上枠体２及び下枠体３の所定位置に適宜な間隔を空けて上部走行体４及び下部走行体５がそれぞれ二つずつ取り付けられ（図２）、上枠体２及び下枠体３が、本実施の形態では、左枠体７及び右枠体８と協働してガラス板（パネル）６を支持する構造をなし、上部走行体４が家具などの上躯体Ａに設けられた案内レールａに沿って摺動（走行）可能に配設される一方、下部走行体５が下躯体Ｂに設けられた案内レールｂに沿って転動（走行）可能に配設されるようにすることにより、左右方向（図１の紙面に垂直な方向）に移動して上記開口口を開閉するようになるものである。ところで、引戸１の表側はガラス板６が配設される側（同図の紙面に向かって右側）であり、後述するように上枠体２によって上部走行体４が、また、下枠体３によって下部走行体５が隠れる構造とし、ユーザー側から走行体４，５を外観できなくなるようにして見栄えの悪化を防止している。
【００１０】
本引戸１の構成を図１〜４を用いて説明する。尚、本引戸１は、上述のように対をなして設けられる左側引戸又は及び右側引戸であり、それらの構造は同一である。
本引戸１の外枠は、図２に示すように上述した上枠体２及び下枠体３並びに左枠体７及び右枠体８で矩形形状に構成され、かかる矩形形状外枠によってガラス板６が支持される。このような外枠のうち、最初に、上部走行体４が取り付けられる上枠体２及び下部走行体５が取り付けられる下枠体３について説明する。
但し、上枠体２と下枠体３とは、説明の都合で番号を違えて区別しているが、同一形状の枠体であり、両者は上枠体用としても下枠体用としても用いることができる。したがって、ここでは上枠体２についてのみ説明する。
【００１１】
上枠体２は、当該上枠体２の長手方向及びこれに垂直な方向に延びる薄板状部材で形成されるウエブ９と、本実施の形態では、このウエブ９の両端部から当該ウエブ９に対し垂直にそれぞれ突出されるフランジ１０，１１とからなる長尺な型材であり、これらフランジ１０とフランジ１１とは互いに逆方向に突出されており、このうちのフランジ１０は、ガラス板６を支持するためのもので、ウエブ９の、上部走行体４が取り付けられる側とは反対側（本引戸１の表側）に、且つ、ウエブ９の、上躯体Ａ側に位置する方の端部に突設されている。一方、フランジ１１は、上枠体２を左枠体７及び右枠体８にそれぞれ結合するときの結合部位に供せられるが、本実施の形態の場合、下枠体用として用いたとき（下枠体３）のフランジ１１は、上記結合部位に加えて下部走行体５の支持台としての機能を有する。
【００１２】
図１，３に示すように、ウエブ９には、上部走行体４が取り付けられる面（以下、裏面という）側に、本実施の形態では、上部走行体４のブラケット１６の嵌合突起１６ｃ１，１６ｃ２に係合させるべく当該ウエブ９の長手方向に沿って嵌合溝９ａが、また、上部走行体４のブラケット１６の下端（嵌合突起）に係合させるべく当該ウエブ９の長手方向に沿って嵌合溝９ｂが設けられている。嵌合溝９ａは、ウエブ９のフランジ１０側で当該フランジ１０の突出方向とは反対方向に突設された断面視略Ｌ字状の突起９ｃと、これの直下に凹設されたウエブ９の裏面とにより形成されるものであり、また、嵌合溝９ｂは、ウエブ９のフランジ１１との接合部位に断面視略Ｕ字状に形成されるものである。
一方、フランジ１０は、上述のようにガラス板６を支持するためのもので、上記突起９ｃの突出方向とは反対方向に突設された、当該突起９ｃより形状の大きな断面視略Ｌ字状をなし、本実施の形態では、このＬ字状フランジ１０とウエブ９の表面（本引戸１の表側に位置する面）とで形成される凹部１０ａにガラス板６の上端部が係止される。また、フランジ１１は、フランジ１０よりいくらか長寸の断面視略矩形状をなし、この矩形状断面の略中央部に、上枠体２を左枠体７及び右枠体８にそれぞれ結合する際に用いるボルト２０のためのＣ字状のタッピング孔１１ａが設けられている。尚、タッピング孔１１ａの開口口に連通する断面視略Ｕ字状溝１１ｂは、ボルト２０のタッピングをし易くするとともに、当該フランジ１１部の重量軽減等の理由から設けられている。
【００１３】
ところで、下枠体３は、上述のように上枠体２と同一形状の枠体であり、その説明は割愛するが、上枠体２を本引戸１の下枠体３として用いるときには、例えば図１、２に示すように逆さまにしてフランジ１０同士及びフランジ１１同士が対向する態様にして用いる。
【００１４】
続いて、外枠のうちの左枠体７及び右枠体８について説明する。但し、左枠体７と右枠体８とは、説明の都合で、番号を違えて区別しているが、同一形状の枠体であり、両者は左枠体用としても右枠体用としても用いることができる。ここでは、左枠体７について説明するが右枠体８についても全く同様である。
左枠体７は、長寸の断面視略矩形状をなす型材であり、図２に示すように、上枠体２（及び下枠体３）の端面に対向する面７ａの、本引戸１の表側の端縁寄りのところに、断面視略Ｕ字状溝７ａ１が設けられ、また、面７ａとは反対側の面７ｂの、本引戸１の裏側の端縁寄りのところに、溝７ａ１より溝深さが浅い断面視略Ｕ字状溝７ｂ１が設けられている。そして、この溝７ｂ１の上方には、ボルト２０の挿通孔７ｃ１，７ｃ２がそれぞれ設けられるとともに、これら挿通孔７ｃ１，７ｃ２に対向して面７ａ側にボルト２０の頭部が係止されるほどの挿通孔がそれぞれ設けられ、また、この溝７ｂ１の下方には、ボルト２０の挿通孔７ｃ３，７ｃ４がそれぞれ設けられるとともに、これら挿通孔７ｃ３，７ｃ４に対向して面７ａ側にボルト２０の頭部が係止されるほどの挿通孔がそれぞれ設けられている（図５参照）。
【００１５】
次に、上枠体２に取り付けられる上部走行体４について図３を参照して、また、下枠体３に取り付けられる下部走行体５について図４を参照して説明する。
上部走行体４は、摺動ロッド１５と、この摺動ロッド１５を支持するブラケット１６とで構成されており、このうちの摺動ロッド１５は、径大の円筒部１５ａと、この円筒部１５ａの上端に鍔部１５ｂを介して突設された径小のピボット軸１５ｃと、このピボット軸１５ｃの上端に回動自在に取り付けられた、外形が帽子状の嵌合体１５ｄとで構成され、ピボット軸１５ｃは、円筒部１５ａ内に配設されたスプリング（図示せず）により当該ピボット軸１５ｃの突出方向に付勢されており、したがって、嵌合体１５ｄは上下方向（ピボット軸１５ｃの突出方向及びこの反対方向）に変位可能になっている。
【００１６】
また、ブラケット１６は、略矩形状の薄板部材で構成され、当該ブラケット１６の略中央部の上方に矩形状の切欠き孔１６ａ１が設けられ、また、この切欠き孔１６ａ１の下方に略逆Ｕ字状の切欠き孔１６ａ２が設けられるとともに、切欠き孔１６ａ１の孔辺のうちの上方の横辺から、略中央に貫通孔を有するプレート１６ｂ１が当該ブラケット１６の一方面側に、当該一方面に垂直に突設され、また、切欠き孔１６ａ２の孔辺のうちの上方の横辺から、略中央に貫通孔を有するプレート１６ｂ２がプレート１６ｂ１の突出方向と同一方向に突設されている。尚、切欠き孔１６ａ２の下部は外部に開口されている。
そして、このブラケット１６の長手方向の側端面のうちの上方の側端面の両端には、上記ウエブ９の嵌合溝９ａに係合する断面略Ｌ字状の嵌合突起１６ｃ１，１６ｃ２が突設され、また、このブラケット１６の短手方向の両側端面の略中央部には、ボルト２０のタッピング孔を有するプレート１６ｄ１，１６ｄ２が、このプレート１６ｂ１やプレート１６ｂ２が突出されたブラケット１６の一方面側に、当該面に垂直に突設されている。更に、プレート１６ｄ１，１６ｄ２の近傍のブラケット１６面には、一方面から他方面に貫通する態様で、ビス２１が螺合するネジ孔１６ｅ１，１６ｅ２がそれぞれ螺刻されている。
【００１７】
このような走行体４において、摺動ロッド１５は、図３に示すように、ブラケット１６に支持される態様で取り付けられる。即ち、摺動ロッド１５の円筒部１５ａを、ブラケット１６のプレート１６ｂ１及びプレート１６ｂ２の貫通孔に差し込んで取り付ける。このとき、円筒部１５ａと貫通孔とはしまりばめの嵌合状態としているが、後述のように、この摺動ロッド１５の位置決めに際して当該摺動ロッド１５を移動させる場合を考慮した嵌め合いとしている。
【００１８】
一方、下部走行体５は、転動ローラ組付体１７と、この転動ローラ組付体１７をセットする収納ケース１８と、この収納ケース１８を取り付けるブラケット１９とで構成され、このうちの転動ローラ組付体１７は、転動ローラ１７ａと、この転動ローラ１７ａを回動自在に支持する支持ケース１７ｂと、この支持ケース１７ｂの上部に突設された連結部材１７ｃとからなっている（図５参照）。
収納ケース１８は、断面視略逆Ｕ字状をなす箱型のケースで、当該収納ケース１８の略中央から下部には、開口口を有する逆Ｕ溝１８ａが設けられており、この逆Ｕ溝１８ａに、転動ローラ組付体１７が当該転動ローラ組付体１７の下部を上記開口口からいくらか突出されるように連結部材１７ｃによりセットされる。そして、収納ケース１８の略四隅には、当該収納ケース１８をブラケット１９に取り付けるためのビス５６のビス孔（図示せず）が設けられており、転動ローラ組付体１７がセットされた収納ケース１８は、当該収納ケース１８の上面を下枠体３のフランジ１１に当接させ上記ビス孔に挿通されるビス５６によりブラケット１９に取り付けられる。
尚、５７は、調整ネジであり、転動ローラ組付体１７の上記突出量を調整するためのものである。
【００１９】
また、ブラケット１９は、略矩形状の薄板部材で構成され、当該ブラケット１９の長手方向の側端面のうちの下方の側端面の両端には、下枠体３のウエブ９の嵌合溝９ａに係合する断面略Ｌ字状の嵌合突起１９ａ１，１９ａ２（図４中には１９ａ２は描かれていない）が突設され、また、このブラケット１９の短手方向の両側端面の略中央部には、ボルト２０のタッピング孔を有するプレート１９ｂ１，１９ｂ２が、収納ケース１８が取り付けられる面側で当該面に垂直に突設されている。更に、プレート１９ｂ１，１９ｂ２の近傍のブラケット１９面には、当該ブラケット１９を貫通する態様でビス２１が螺合するネジ孔１９ｃ１，１９ｃ２（図４中には１９ｃ２は描かれていない）がそれぞれ螺刻されている。
尚、ブラケット１９には、収納ケース１８を取り付けるための上記ビス孔に対応したネジ孔が螺刻されている。また、走行体５においては、当該走行体５のブラケット１９の上端（嵌合突起）が、下枠体３のウエブ９の長手方向に沿って設けられた嵌合溝９ｂに係合される。
【００２０】
このような構成に係る本引戸１を、家具などの開口口に取り付ける場合の取付け方を図１〜５を参照して説明する。
本引戸１の取付けに先立ち、本引戸１自体の組付けについて説明する。本引戸１においては、図５のように、最初に上枠体２と左枠体７とを結合する場合には、上部走行体４のブラケット１６の嵌合突起１６ｃ１，１６ｃ２を上枠体２のウエブ９の嵌合溝９ａに係合させ、また、上部走行体４のブラケット１６の下端をウエブ９の嵌合溝９ｂに係合させて、当該上部走行体４を上枠体２の端部から適宜な位置に移動させて仮取付けしておく。このとき、上部走行体４の摺動ロッド１５の鍔部１５ｂが、上枠体２のウエブ９の突起９ｃの、嵌合溝９ａとは反対側の角部に設けられた断面視略Ｌ字状溝９ｃ１に係止されるように当該摺動ロッド１５を位置決めする（図１）。一方、下部走行体５のブラケット１９の嵌合突起１６ｃ１，１６ｃ２を下枠体３のウエブ９の嵌合溝９ａに係合させ、また、下部走行体５のブラケット１９の上端をウエブ９の嵌合溝９ｂに係合させて、当該下部走行体５を下枠体３の端部から適宜な位置に移動させて仮取付けしておく。
【００２１】
そして、上部走行体４が仮取付けされた上枠体２と左枠体７、及び下部走行体５が仮取付けされた下枠体３と左枠体７とをそれぞれ結合する。即ち、上枠体２と左枠体７との結合に際しては、上枠体２のフランジ１０の凹部１０ａと左枠体７の溝７ａ１とが向かい合うようにして上枠体２と左枠体７とを当接させてから、ボルト２０の一つを、左枠体７の挿通孔７ｃ１から挿入して上部走行体４のプレート１６ｄ１のタッピング孔にねじ込み、当該ボルト２０の頭部を左枠体７の面７ａの裏面に当接させて螺着する。但し、このボルト２０の螺着完了前に、上部走行体４の仮取付け位置を確認して（当該位置を変更する場合には移動調整して）からビス２１を上部走行体４のブラケット１６のネジ孔１６ｅ１，１６ｅ２に上枠体２のウエブ９の裏面に当接するまでねじ込んでおく。このとき、更にねじ込むと、上枠体２がいくらか湾曲気味になり、そのためかえって上部走行体４の移動が規制されるので好ましい。そして、上記ボルト２０の螺着完了後、もう一つのボルト２０を、挿通孔７ｃ２から挿入して上枠体２のフランジ１１のタッピング孔１１ａにねじ込み、当該ボルト２０の頭部を左枠体７の面７ａの裏面に当接させて螺着する。
【００２２】
次に、図５に示すような下枠体３と左枠体７とを結合する場合においても、上枠体２と左枠体７との結合の場合と同様に、上枠体２に下部走行体５を仮取付けした後、ボルト２０の一つを、左枠体７の挿通孔７ｃ４から挿入して下部走行体５のプレート１９ｂ１のタッピング孔にねじ込み当該ボルト２０の頭部を左枠体７の面７ａの裏面に当接させて螺着する。但し、このボルト２０の螺着完了前に、下部走行体５の仮取付け位置を確認して（当該位置を変更する場合には移動調整して）からビス２１を下部走行体５のブラケット１９のネジ孔１９ｃ１，１９ｃ２に下枠体３のウエブ９の裏面に当接するまでねじ込んでおく。そして、上記ボルト２０の螺着完了後、もう一つのボルト２０を、挿通孔７ｃ３から挿入して下枠体３のフランジ１１のタッピング孔１１ａにねじ込み、当該ボルト２０の頭部を左枠体７の面７ａの裏面に当接させて螺着する。
上枠体２と左枠体７及び下枠体３と左枠体７を結合したとき、上枠体２及び下枠体３のフランジ１０の凹部１０ａと左枠体７の溝７ａ１とはそれぞれ連通してガラス板の収納部を形成するので、ここにガラス板６を挿入する。
【００２３】
そして、上枠体２と右枠体８及び下枠体３と右枠体８のそれぞれを結合する。かかる結合のしかたは、上述した上枠体２と左枠体７及び下枠体３と左枠体７のそれぞれの結合のしかたと全く同様である。上枠体２と右枠体８及び下枠体３と右枠体８を結合したとき、上述したガラス板の収納部が形成されるので、ガラス板６がこのような収納部において支持されることになる。
このようにして組み付けられた本引戸１を、家具などの開口口に取り付ける場合には、図１に示すように、本引戸１の下部走行体５の転動ローラ１７ａを下躯体Ｂの案内レールｂ上に係合させる一方、その上部走行体４の摺動ロッド１５を上躯体Ａの案内レールａに係合させる。このとき、摺動ロッド１５の嵌合体１５ｄは、円筒部１５ａ内のスプリングによりピボット軸１５ｃを介して付勢力を受けて、当該嵌合体１５ｄの円筒部が上躯体Ａの案内レールａのスリット孔から突出し、このスリット孔周縁に当該嵌合体１５ｄの鍔部が当接する状態で係合される。
なお、左枠体７の面７ａと走行体４のプレート１６ｄ１や走行体５のプレート１９ｂ１とを当接させて上枠体２と左枠体７、下枠体３と左枠体７とを結合するようにしてもよい。
【００２４】
次に、本発明の第２の実施の形態に係る建具を図６，７を参照して説明する。
尚、図６，７において、図１〜５中の構成部材と同一のものには同一番号を付し、その説明は割愛する。
本実施の形態に係る建具もまた、引戸３０であるが、上述した引戸１と異なるところは、上部走行体４及び下部走行体５の代わりに上部走行体３１及び下部走行体３２を用い、更に、上部走行体３１の、上枠体２に対する位置決め用としてまた、下部走行体３２の、下枠体３に対する位置決め用としてブロック３３を追加した点である。
上部走行体３１は、図６に示すように、上記摺動ロッド１５を収納したケース３５と、このケース３５に取り付けられるアダプタ３６と、このアダプタ３６を介してケース３５が取り付けられるブラケット３７とで構成されており、このうちのケース３５は、一部に矩形状の平取り部（ブラケット３７に取り付けられたとき上面に位置するところ）３５ａ１を有する高さが短寸で中空の、その一方面側が外部に開口している円筒体３５ａと、この円筒体３５ａの、上記開口する面側を塞ぐ態様で、且つ、上記平取り部３５ａ１の長手方向に沿う態様で張り出したフランジ３５ｂとからなっている。このケース３５内には、上述した摺動ロッド１５が収納され、この摺動ロッド１５は、当該摺動ロッド１５の嵌合体１５ｄ側が当該ケース３５の平取り部３５ａ１の中央を貫通して外部に突出するとともに、スプリング（図示せず）により当該突出方向に付勢されている。また、フランジ３５ｂには、略中央下部に円筒体３５ａ内に通じる略矩形状の切欠き孔３５ｂ１が設けられ、更に、このフランジ３５ｂの両端部には、切欠き孔３５ｂ１を隔ててビス３８が挿通する挿通孔３５ｂ２がそれぞれ設けられている。
【００２５】
アダプタ３６は、上記フランジ３５ｂと略同一の外形形状をなし、その中央部に上記円筒体３５ａの外形形状にほぼ等しく形成されたスリット３６ａ（スリット３６ａの開口口は、アダプタ３６がケース３５に取り付けられたとき、円筒体３５ａの平取り部３５ａ１が位置する）を有する薄板状部材であり、このアダプタ３６の、スリット３６ａを隔てた両側には、ビス３８が螺着するネジ孔３６ｂがそれぞれ設けられ、これらのネジ孔３６ｂの近傍でスリット３６ａ側寄りのところには、適宜な間隔を隔ててビス３９が螺着するネジ孔３６ｃ１，３６ｃ２がそれぞれ設けられている。
【００２６】
ブラケット３７は、略矩形状の薄板部材で構成され、当該ブラケット３７の長手方向の側端面のうちの上方の側端面（当該ブラケット３７を下部走行体３２用に用いる場合は、下方の側端面となる。図７参照）には、上記ウエブ９の嵌合溝９ａに係合する断面略Ｌ字状の嵌合突起３７ａが所定間隔のスリットを付して突設され、また、このブラケット３７の短手方向の両側端面には、ボルト２０の二つのタッピング孔を有するプレート３７ｂ１，３７ｂ２が、アダプタ３６が取り付けられる面側に、当該面に垂直に突設されている。また、このブラケット３７の短手方向の中心線を隔てて当該中心線とプレート３７ｂ１が突設された側端辺との略中心線に沿ってビス３９の挿通孔３７ｃ１，３７ｃ２が、及び当該中心線とプレート３７ｂ２が突設された側端辺との略中心線に沿ってビス３９の挿通孔３７ｃ１，３７ｃ２がブラケット３７の上部側（当該ブラケット３７を下部走行体３２用に用いる場合は、ブラケット３７の下部側となる。図７参照）に設けられている。ところで、ブラケット３７の下部側でプレート３７ｂ１，３７ｂ２寄りのところに、上記ビス２１のネジ孔３７ｄ１，３７ｄ２がそれぞれ螺刻されている（同図では、これらネジ孔にビス２１が螺着されている）。尚、上部走行体３１においては、当該上部走行体３１のブラケット３７の下端（嵌合突起）が、上枠体２のウエブ９の長手方向に沿って設けられた嵌合溝９ｂに係合される。
【００２７】
また、ブロック３３は、ウエブ９の、上部走行体３１（及び下部走行体３２）が取り付けられる面（裏面）に対面する側の面中央に凸部を有する略直方体状の部材であり、この凸部を有する面とは反対側の矩形面３３ａには、この矩形面３３ａの長手方向の中心線上で、当該長手方向に垂直な両端辺寄りのところにネジ孔３３ａ１，３３ａ２がそれぞれ螺刻されている。尚、本実施の形態では、このブロック３３を上枠体２側に用いるときは、ネジ孔３３ａ１，３３ａ２は使用されていないが、後述のようにこのブロック３３を下枠体３側に用いるときに使用する。更に、このブロック３３には、上記長手方向に垂直な面３３ｂからこの面３３ｂとは反対側の面に通じる上記ボルト２０の貫通孔３３ｂ１，３３ｂ２が設けられている。
【００２８】
このような上部走行体３１においては、ケース３５の円筒体３５ａをアダプタ３６のスリット３６ａに嵌め込み、このアダプタ３６をケース３５に重ね合わせ、ビス３８をケース３５の挿通孔３５ｂ２からアダプタ３６のネジ孔３６ｂにねじ込んで取り付ける。次に、アダプタ３６が取り付けられたケース３５を、アダプタ３６を介してブラケット３７に重ね合わせ、ビス３９をブラケット３７の挿通孔３７ｃ１，３７ｃ２からアダプタ３６のネジ孔３６ｃ１，３６ｃ２にそれぞれねじ込んで取り付け、上部走行体３１の組付けが完了する。このような上部走行体３１を、当該上部走行体３１のブラケット３７の嵌合突起３７ａを上枠体２のウエブ９の嵌合溝９ａに係合させ、また、上部走行体３１のブラケット３７の下端をウエブ９の嵌合溝９ｂに係合させて、上枠体２の端部から適宜な位置に移動させておき、上枠体２と左枠体７とを結合する。かかる結合に際しては、上枠体２のフランジ１０の凹部１０ａと左枠体７の溝７ａ１とが向かい合うようにして上枠体２と左枠体７とを当接させてから、左枠体７の面７ａにブロック３３の面３３ｂが当接するように、且つ、上枠体２のウエブ９の裏面にブロック３３の凸部面が当接するようにしてブロック３３を配置する。そして、上部走行体３１を移動させて、当該上部走行体３１のプレート３７ｂ１をこのブロック３３の面３３ｂとは反対側の面に当接させ、この状態で、ボルト２０の一つを、左枠体７の挿通孔７ｃ１から挿入してブロック３３の貫通孔３３ｂ１を通じて上部走行体３１のプレート３７ｂ１のタッピング孔にねじ込んで螺着する。更に、もう一つのボルト２０を、挿通孔７ｃ２から挿入して上枠体２のフランジ１１のタッピング孔１１ａにねじ込んで螺着する。このようにして上部走行体３１が位置決めされたところで、ビス２１を上部走行体３１のブラケット３７のネジ孔３７ｄ１，３７ｄ２に上枠体２のウエブ９の裏面に当接するまでそれぞれねじ込み上部走行体３１が固定される。したがって、このようなブロック３３を用いると、位置決めが自ずとでき、第１の実施の形態で述べた仮取付けの必要がなくなる。ところで、上部走行体３１の固定に際してビス２１を用いた場合を説明したが、場合によってはビス２１を用いずに又はビス２１と併用して、スリットが付された嵌合突起３７ａをウエブ９の嵌合溝９ａに挿入し上部走行体３１の位置決めをした後、突起９ｃを上枠体２の裏面からスリットに合わせて押し潰すことで上部走行体３１を固定するようにしてもよい。
尚、上枠体２と右枠体８との結合のしかたは、上述した上枠体２と左枠体７との結合のしかたと同一である。
【００２９】
一方、下部走行体３２は、図７に示すように、上記転動ローラ組付体１７と、この転動ローラ組付体１７をセットする収納ケース４０と、この収納ケース４０に取り付けられる上記アダプタ３６と、このアダプタ３６を介して収納ケース４０が取り付けられる上記ブラケット３７とで構成されており、このうちの収納ケース４０は、一部に矩形状の、図示しない平取り部（ブラケット３７に取り付けられたとき下面に位置するところ）を有する高さが短寸で中空の、その一方面側が外部に開口している円筒体４０ａと、この円筒体４０ａの、上記開口する面側を塞ぐ態様で、且つ、上記平取り部の長手方向に沿う態様で張り出したフランジ４０ｂとからなっている。このフランジ４０ｂには、略中央下部に開口口を有する略逆Ｕ字状の切欠き４０ｂ１が円筒体４０ａ内に通じる態様で設けられ、この切欠き４０ｂ１に通じる円筒体４０ａ内に、転動ローラ組付体１７が当該転動ローラ組付体１７の下部を上記開口口からいくらか突出されるようにしてセットされる。また、このフランジ４０ｂの両端部には、切欠き４０ｂ１を隔てて上記ビス３８が挿通する挿通孔４０ｂ２がそれぞれ設けられている。
【００３０】
ところで、下部走行体３２のアダプタ３６やブラケット３７は、上部走行体３１のそれらと同一であるが、下部走行体３２用として用いる場合には同図のように収納ケース４０や下枠体３に合わせ逆さまにして用いる。尚、図７中、ブラケット３７の挿通孔３７ｃ１，３７ｃ２を挿通するビス３９の一部が省略されている。
また、ブロック３３は、左枠体７側の下部走行体３２の位置決め用としても用いられており、本実施の形態ではこのブロック３３に、中空円筒状のゴム製戸当り３４が、この中空軸孔に差し込まれて当該ブロック３３のネジ孔３３ａ１に螺合するビス（図示せず）によって当該ブロック３３の矩形面３３ａ上にこの矩形面３３ａから一部張り出した状態で突設されている。尚、右枠体８側の下部走行体３２の位置決め用としてブロック３３を用いて当該ブロック３３に戸当り３４を突設させる場合には、ブロック３３のネジ孔３３ａ２の方を用いる。
尚、上述した引戸１のようにブロック３３が設けられていない場合に、戸当り３４を直接下枠体３の適宜位置に取り付けてもよい。また、ブロック３３を、本実施の形態では上部走行体３１用として、また、下部走行体３２用として共用していたが、場合によっては異なるものとし、左枠体７から互いに異なる位置に上部走行体３１及び下部走行体３２がそれぞれ位置決めされるようにしてもよい。
【００３１】
しかるに、このような下部走行体３２においても、上部走行体３１と同様に、収納ケース４０の円筒体４０ａをアダプタ３６のスリット３６ａに嵌め込み、このアダプタ３６を収納ケース４０に重ね合わせ、ビス３８を収納ケース４０の挿通孔４０ｂ２からアダプタ３６のネジ孔３６ｂにねじ込んで取り付ける。次に、アダプタ３６が取り付けられた収納ケース４０を、アダプタ３６を介してブラケット３７に重ね合わせ、ビス３９をブラケット３７の挿通孔３７ｃ１，３７ｃ２からアダプタ３６のネジ孔３６ｃ１，３６ｃ２にそれぞれねじ込んで取り付け、下部走行体３２の組付けが完了する。
そして、この下部走行体３２を、上述した上部走行体３１の場合と同様にして、当該下部走行体３２のブラケット３７の嵌合突起３７ａを下枠体３のウエブ９の嵌合溝９ａに係合させ、また、下部走行体３２のブラケット３７の上端をウエブ９の嵌合溝９ｂに係合させて、下枠体３の端部から適宜な位置に移動させておき、下枠体３と左枠体７との結合に際しては、下枠体３のフランジ１０の凹部１０ａと左枠体７の溝７ａ１とが向かい合うようにして下枠体３と左枠体７とを当接させてから、左枠体７の面７ａにブロック３３の面３３ｂが当接するように、且つ、下枠体３のウエブ９の裏面にブロック３３の凸部面が当接するようにしてブロック３３を配置する。そして、下部走行体３２を移動させて、当該下部走行体３２のプレート３７ｂ１をこのブロック３３の面３３ｂとは反対側の面に当接させ、この状態で、ボルト２０の一つを、左枠体７の挿通孔７ｃ４から挿入してブロック３３の貫通孔３３ｂ２を通じて下部走行体３２のプレート３７ｂ１のタッピング孔にねじ込んで螺着する。更に、もう一つのボルト２０を、挿通孔７ｃ３から挿入して下枠体３のフランジ１１のタッピング孔１１ａにねじ込んで螺着する。このようにして下部走行体３２が位置決めされたところで、ビス２１を下部走行体３２のブラケット３７のネジ孔３７ｄ１，３７ｄ２に下枠体３のウエブ９の裏面に当接するまでそれぞれねじ込み下部走行体３２が固定される。したがって、このようなブロック３３を用いると、位置決めが自ずとでき、上述したように仮取付けの必要がなくなる。ところで、下部走行体３２の固定に際してビス２１を用いた場合を説明したが、場合によってはビス２１を用いずに又はビス２１と併用して、スリットが付された嵌合突起３７ａをウエブ９の嵌合溝９ａに挿入し下部走行体３２の位置決めをした後、突起９ｃを下枠体３の裏面からスリットに合わせて押し潰すことで下部走行体３２を固定するようにしてもよい。
【００３２】
次に、本発明の第３の実施の形態に係る建具を図８を参照して説明する。尚、図８において、図１〜７中の構成部材と同一のものには同一番号を付し、その説明は割愛する。
本実施の形態に係る建具は、上述した引戸１，３０ではなく吊戸５０であり、家屋などの開口口に設けられた案内レールｃに沿って転動（走行）可能に配設されるようにした上部走行体５１を備えたものである。
この上部走行体５１は、図８に示すように、転動ローラ組付体５２を支持する支持体５３と、この支持体５３に取り付けられるアダプタ５５と、このアダプタ５５を介して支持体５３が取り付けられる上記ブラケット３７とで構成されており、このうちの転動ローラ組付体５２は、上部走行体５１の移動方向に沿う車体５２ａの前後に車軸（図示せず）が設けられ、これら車軸の両端に転動ローラ５２ｂがそれぞれ取り付けられてなるもので、車体５２ａの略中央には略矩形状の貫通孔が設けられている。
また、支持体５３は、一部に矩形状の平取り部（ブラケット３７に取り付けられたとき上面に位置するところ）５３ａ１を有する略Ｕ字状のボス部５３ａと、このボス部５３ａの一方面側に上記平取り部３５ａ１の長手方向に沿う態様で張り出した略半長円形状のフランジ５３ｂとからなっており、このフランジ５３ｂの両端部には、上記長円形の長軸を隔ててビス３８が挿通する挿通孔５３ｂ１，この５３ｂ１に適宜な間隔を隔てて挿通孔５３ｂ２がそれぞれ設けられている。また、ボス部５３ａの平取り部５３ａ１には、軸状の連結部材５４が突設されており、かかる連結部材５４を上記車体５２ａの貫通孔に嵌合させることにより転動ローラ組付体５２が支持体５３にセットされる。
【００３３】
アダプタ５５は、その中央部に上記ボス部５３ａの外形形状にほぼ等しく形成されたスリット５５ａ（スリット５５ａの開口口は、アダプタ５５が支持体５３に取り付けられたとき、ボス部５３ａの平取り部５３ａ１が位置する）を有し、このスリット５５ａの両側に、上記支持体５３のフランジ５３ｂよりいくらか長めに張り出した略矩形状のフランジ５５ｂがそれぞれ突設されている。これらフランジ５５ｂには、スリット５５ａの両端縁近傍に沿って上記フランジ５３ｂの挿通孔５３ｂ１，５３ｂ２に対応するビス３８のネジ孔５５ｂ１，５５ｂ２がそれぞれ設けられ、また、これらネジ孔５５ｂ１，５５ｂ２のそれぞれの近傍で当該フランジ５５ｂの外端縁寄りのところにブラケット３７の挿通孔３７ｃ１，３７ｃ２に対応するビス３９のネジ孔５５ｂ３，５５ｂ４がそれぞれ設けられている。
【００３４】
このような上部走行体５１においては、転動ローラ組付体５２を連結部材５４を介して支持体５３にセットした後、この支持体５３のボス部５３ａをアダプタ５５のスリット５５ａに嵌め込み、このアダプタ５５を支持体５３に重ね合わせ、ビス３８を支持体５３の挿通孔５３ｂ１，５３ｂ２からアダプタ５５のネジ孔５５ｂ１，５５ｂ２にそれぞれねじ込んで取り付ける。次に、アダプタ５５が取り付けられた支持体５３を、アダプタ５５を介してブラケット３７に重ね合わせ、ビス３９をブラケット３７の挿通孔３７ｃ１，３７ｃ２からアダプタ５５のネジ孔５５ｂ３，５５ｂ４にそれぞれねじ込んで取り付け、上部走行体５１の組付けが完了する。このような上部走行体５１を、当該上部走行体５１のブラケット３７の嵌合突起３７ａを上枠体２のウエブ９の嵌合溝９ａに係合させ、また、上部走行体５１のブラケット３７の下端をウエブ９の嵌合溝９ｂに係合させて、上枠体２の端部から適宜な位置に移動させておき、上枠体２と左枠体７とを結合する。かかる結合に際しては、第２の実施の形態で述べたように、上枠体２のフランジ１０の凹部１０ａと左枠体７の溝７ａ１とが向かい合うようにして上枠体２と左枠体７とを当接させてから、左枠体７の面７ａにブロック３３の面３３ｂが当接するように、且つ、上枠体２のウエブ９の裏面にブロック３３の凸部面が当接するようにしてブロック３３を配置し、しかる後、上部走行体５１を移動させて、当該上部走行体５１のプレート３７ｂ１をこのブロック３３の面３３ｂとは反対側の面に当接させ、この状態で、ボルト２０の一つを、左枠体７の挿通孔７ｃ１から挿入してブロック３３の貫通孔３３ｂ１を通じて上部走行体５１のプレート３７ｂ１のタッピング孔にねじ込んで螺着する。更に、もう一つのボルト２０を、挿通孔７ｃ２から挿入して上枠体２のフランジ１１のタッピング孔１１ａにねじ込んで螺着する。このようにして上部走行体５１が位置決めされたところで、ビス２１を上部走行体５１のブラケット３７のネジ孔３７ｄ１，３７ｄ２に上枠体２のウエブ９の裏面に当接するまでそれぞれねじ込み上部走行体５１が固定される。したがって、上部走行体５１の位置決めが自ずとでき、仮取付けの必要がなくなる。ところで、上部走行体５１の固定に際してビス２１を用いた場合を説明したが、場合によってはビス２１を用いずに又はビス２１と併用して、スリットが付された嵌合突起３７ａをウエブ９の嵌合溝９ａに挿入し上部走行体５１の位置決めをした後、突起９ｃを上枠体２の裏面からスリットに合わせて押し潰すことで上部走行体５１を固定するようにしてもよい。
このようにして組み付けられた本吊戸５０を家屋などの開口口に取り付ける場合には、この開口口の案内レールｃ内に本吊戸５０の転動ローラ組付体５２を挿入して当該案内レールｃに沿って転動ローラ５２ｂが転動できるようにすればよい。
【産業上の利用可能性】
【００３５】
本発明の建具は、パネルを支持するとともに、走行体が着脱容易に取り付けられる長尺の枠体を、当該枠体の長手方向及びこれに垂直な方向に延びる板状部材で形成されるウエブと、このウエブの少なくとも一方の端部から当該ウエブに突出されるフランジとで構成したもので、従来の断面視略矩形状の中空型材に比べ製造コストや重量を低減することができ、利用価値のあるものと言える。
【図面の簡単な説明】
【００３６】
【図１】第１の実施の形態に係る建具の取付け図である。
【図２】図１の建具を裏側から視た当該建具の分解斜視図である。
【図３】図２のうちの上枠体側の詳細な分解斜視図である。
【図４】図２のうちの下枠体側の詳細な分解斜視図である。
【図５】本建具が組付けられたときの部分拡大図である。
【図６】第２の実施の形態に係る建具の上枠体側の詳細な分解斜視図である。
【図７】第２の実施の形態に係る建具の下枠体側の詳細な分解斜視図である。
【図８】第３の実施の形態に係る建具の上枠体側の詳細な分解斜視図である。
【図９】従来の吊戸の上枠体側の詳細な分解斜視図である。
【符号の説明】
【００３７】
１，３０              引戸（建具）
２                    上枠体
３                    下枠体
４，３１，５１        上部走行体
５，３２              下部走行体
６                    ガラス板（パネル）
９                    ウエブ
９ａ，９ｂ            嵌合溝
１６ｃ１，１６ｃ２        嵌合突起
１０                  フランジ
５０                  吊戸
Ａ                    上躯体
Ｂ                    下躯体
ａ，ｂ，ｃ            案内レール
【図１】
2006249843.tif 000003
【図２】
2006249843.tif 000004
【図３】
2006249843.tif 000005
【図４】
2006249843.tif 000006
【図５】
2006249843.tif 000007
【図６】
2006249843.tif 000008
【図７】
2006249843.tif 000009
【図８】
2006249843.tif 000010
【図９】
2006249843.tif 000011